(57)【要約】【課題】手で操作することなく、自動的に結合もしくは解除し、操作が便利なドアのストッパー組立構造を提供する。      【解決手段】本考案のドアのストッパー組立構造は、主に可動環体５０を枢設する掛合台３０、及びドア体の固定鈎１０から構成され、固定鈎１０は掛合鈎１２を凸設した上向き「コ」の字型形状で、掛合台３０の一端には壁面に設置する基底部３２が成形され、内部には弾性部品３６を嵌合した押圧桿３４が設置され、その押圧桿３４の別端には定位調節部品３５を設置して突出した外側と外カバー３８を合わせ、押圧桿３４が回転ガイドカバー３５１一端に位置すると、活動端は可動環体５０の連結枢設環３９を結合し、定位調節部品３５を押して回転し、押圧桿３４が連結枢設環３９を押して連結枢設環３９が可動環体５０を外に反らせ、弾性部品３６の反発力を利用してドア体と掛合し、自動結合、解除を行うことを特徴とする。【選択図】図３
0003118298.tif 000002
【実用新案登録請求の範囲】
【請求項１】
主に可動環体を枢設する掛合台、及びドア体の固定鈎から構成されたドアのストッパー組立構造において、
固定鈎は掛合鈎を凸設した上向き「コ」の字型形状で、掛合台の一端には壁面に設置する基底部が成形され、内部には弾性部品を嵌合した押圧桿が設置され、その押圧桿の別端には定位調節部品を設置して突出した外側と外カバーを合わせ、押圧桿が回転ガイドカバー一端に位置すると、活動端は可動環体の連結枢設環を結合し、定位調節部品を押して回転し、押圧桿が連結枢設環を押して連結枢設環が可動環体を外に反らせ、弾性部品の反発力を利用してドア体と掛合し、自動結合、解除を行うことを特徴とするドアのストッパー組立構造。
【請求項２】
前記定位調節部品は、回転ガイドカバーと押圧カバーから構成され、その回転ガイドカバーには斜面案内槽が連続設置され、その間の斜面案内槽の底部は各案内溝に連通し、押圧カバーには斜面案内槽に相対して嵌合する押圧凸塊を設置し、別端は突出する外側と外カバーが合い、掛合台は外端の内壁に案内凸条を設置してそこに斜面案内槽もしくは溝槽を嵌入することを特徴とする請求項１記載のドアのストッパー組立構造。
【請求項３】
前記掛合台は、凸字型筐体から構成され、その二個の筐体内部の基底部位置には重ねて設置する固定片が相対し、ネジで一体にし、中央には弾性部品を嵌合した押圧桿を設置し、欠切口で挟持し、二個の筐体端部には中孔が成形され、側面は枠状の可動環体の一側面を設置する枢設槽が凹設され、その枠状の中段で押圧桿を固定する連結枢設環の活動端を差し込んで組むことを特徴とする請求項１もしくは２記載のドアのストッパー組立構造。
【請求項４】
前記二つの筐体は、対する面に相対して設置するための嵌合柱と嵌合孔が設置され、相互に嵌合して定位することを特徴とする請求項３記載のドアのストッパー組立構造。
【請求項５】
前記押圧カバーは、外端に外カバー内底の凸縁を凸設し、外カバー内底には凸柱を設置し、押圧カバー内孔に嵌めて定位することを特徴とする請求項２記載のドアのストッパー組立構造。
【請求項６】
前記掛合台は、固定部品と共に壁面に設置し、基底部開口には停止縁が成形され、固定部品表面には結合孔が成形され、上下に圧着片と停止片が成形され、固定部品をネジ釘で壁面に設置して基底部を相対して嵌め込み、停止縁と停止片が基底部の停止縁で嵌合し、基底部環縁上ではネジで圧着片が固定されることを特徴とする請求項１もしくは２記載のドアのストッパー組立構造。
【請求項７】
前記掛合台は、固定部品と共に壁面に設置され、基底部開口に停止縁が設置され、固定部品の表面には結合孔が設置され、上下に圧着片及び停止片が伸び、固定部品がネジ釘で壁面に設置され、基底部が嵌合され、停止縁と停止片が基底部停止縁上でネジで圧着片を押し、固定することを特徴とする請求項３記載のドアのストッパー組立構造。
【考案の詳細な説明】
【技術分野】
【０００１】
本考案は、ドアのストッパー組立構造に関するもので、手で操作することなく、自動的に結合もしくは解除し、操作が便利なものである。
【背景技術】
【０００２】
図１に示すとおり、公知のドアのストッパー組立構造は、ドア体上に固定鈎１０、及び可動環体２１を具えた掛合台２０から構成される。その掛合台２０は底部の結合孔２２を壁面に当て、図２に示すように設置し、掛合する可動環体２１をドア体上に設置した固定鈎１０に結合する。ドア体が固定されたことによって、ドアは開いた状態で固定し、風によってドアが閉まり、ドアが損傷するのを防止する。ドアを閉める時には、可動環体２１を固定鈎１０から外す。
【０００３】
しかしながら、上述のドアストッパー構造の可動環体２１と固定鈎１０の結合、解除操作は、すべて手で活動環体２１を動かさなければならないため、操作上大変面倒である。また、操作の度に腰を曲げての操作は大変不便である。
【特許文献１】特開２００３−１３８８２６号公報
【考案の開示】
【考案が解決しようとする課題】
【０００４】
解決しようとする課題は、ドアストッパーの結合、解除を人の手によって行わなければならない点である。
【課題を解決するための手段】
【０００５】
上述の課題を解決するために、本考案は以下の特徴を有するドアのストッパー組立構造を提供する。
１．請求項１に記載のドアのストッパー組立構造は、主に可動環体を枢設する掛合台、及びドア体の固定鈎から構成されたドアのストッパー組立構造において、固定鈎は掛合鈎を凸設した上向き「コ」の字型形状で、掛合台の一端には壁面に設置する基底部が成形され、内部には弾性部品を嵌合した押圧桿が設置され、その押圧桿の別端には定位調節部品を設置して突出した外側と外カバーを合わせ、押圧桿が回転ガイドカバー一端に位置すると、活動端は可動環体の連結枢設環を結合し、定位調節部品を押して回転し、押圧桿が連結枢設環を押して連結枢設環が可動環体を外に反らせ、弾性部品の反発力を利用してドア体と掛合し、自動結合、解除を行うことを特徴とする。
２．請求項２に記載のドアのストッパー組立構造は、請求項１の場合において、
前記定位調節部品は、回転ガイドカバーと押圧カバーから構成され、その回転ガイドカバーには斜面案内槽が連続設置され、その間の斜面案内槽の底部は各案内溝に連通し、押圧カバーには斜面案内槽に相対して嵌合する押圧凸塊を設置し、別端は突出する外側と外カバーが合い、掛合台は外端の内壁に案内凸条を設置してそこに斜面案内槽もしくは溝槽を嵌入することを特徴とする。
３．請求項３に記載のドアのストッパー組立構造は、請求項１もしくは２の場合において、
前記掛合台は、凸字型筐体から構成され、その二個の筐体内部の基底部位置には重ねて設置する固定片が相対し、ネジで一体にし、中央には弾性部品を嵌合した押圧桿を設置し、欠切口で挟持し、二個の筐体端部には中孔が成形され、側面は枠状の可動環体の一側面を設置する枢設槽が凹設され、その枠状の中段で押圧桿を固定する連結枢設環の活動端を差し込んで組むことを特徴とする。
４．請求項４に記載のドアのストッパー組立構造は、請求項３の場合において、
前記二つの筐体は、対する面に相対して設置するための嵌合柱と嵌合孔が設置され、相互に嵌合して定位することを特徴とする。
５．請求項５に記載のドアのストッパー組立構造は、請求項２の場合において、
前記押圧カバーは、外端に外カバー内底の凸縁を凸設し、外カバー内底には凸柱を設置し、押圧カバー内孔に嵌めて定位することを特徴とする。
６．請求項６に記載のドアのストッパー組立構造は、請求項１もしくは２の場合において、
前記掛合台は、固定部品と共に壁面に設置し、基底部開口には停止縁が成形され、固定部品表面には結合孔が成形され、上下に圧着片と停止片が成形され、固定部品をネジ釘で壁面に設置して基底部を相対して嵌め込み、停止縁と停止片が基底部の停止縁で嵌合し、基底部環縁上ではネジで圧着片が固定されることを特徴とする。
７．請求項７に記載のドアのストッパー組立構造は、請求項３の場合において、
前記掛合台は、固定部品と共に壁面に設置され、基底部開口に停止縁が設置され、固定部品の表面には結合孔が設置され、上下に圧着片及び停止片が伸び、固定部品がネジ釘で壁面に設置され、基底部が嵌合され、停止縁と停止片が基底部停止縁上でネジで圧着片を押し、固定することを特徴とする。
【考案の効果】
【０００６】
本考案のドアのストッパー組立構造は、自動的に結合、解除し、操作が便利であるという利点がある。
【考案を実施するための最良の形態】
【０００７】
図３，４に示すとおり、本考案は、固定鈎１０、可動環体５０を具えた掛合台３０と固定部品４０から構成される。
【０００８】
固定鈎１０は、上向き「コ」の字型で、基台１１をドア体の結合孔に螺合し、外側面に掛合鈎１２を設置する。
【０００９】
掛合台３０は、凸状に合わさる両筐体３１、３１´を含み、基底部３２箇所で重ね合わせて設置する固定片３３を凸設し、そこに結合孔３１３を設置し、ネジ６０で固定する。更に二枚の固定片３３中央には欠切口３１４が成形され、基底部３２開口には停止縁３１９(図５参照)が成形される。両筐体３１、３１´の端部に押圧カバー３５２を定位させる中孔３１８が凹節され、側面は接触面に相互に嵌合するための嵌合柱３１１及び嵌合孔３１２が設置されて相互に嵌合し、また可動環体５０を差し込むための枢設槽３１５が設置される。押圧桿３４は固定片３３に設置して弾性部品３６を嵌めこみ、その別端には定位調節部品３５を嵌め、最上部に凸設する連結枢設環３９を枢設して弾性部品３６を押さえる。定位調節部品３５は、回転ガイドカバー３５１及び押圧カバー３５２を含み、そのうち、この回転ガイドカバー３５１には複数個の斜面案内槽３５３が凹設され、間の斜面案内槽３５３´底部は各々案内溝３５４に通じる（図４参照）。また、斜面案内槽３５３に相対する押圧カバー３５２には嵌入する押圧凸塊３５５が設置され、各押圧凸塊３５５の間には案内溝３５４´が成形される。突出した掛合台３０外端には凸縁３５６が成形され、掛合台３０の外端内壁上下は、二つの案内凸条３１７が設置されて、斜面案内槽３５３もしくは案内溝３５４に嵌入する。それらを設置後、外端の段面は、定位環３７で固定し、弾性を具えた外カバー３８の凸柱３８１で押圧カバー３５２外端内孔に設置して一体にする。
【００１０】
固定部品４０は、中央に結合孔４１を具えた片体で、その上側は湾曲した圧着片４２が伸び、下側は湾曲した停止片４３が伸び、ネジ４５は基底部３２環縁から固定部品４０の圧着片４２に圧着定位させて螺設する。
【００１１】
可動環体５０は、枠状で、その一側面を掛合台３０の枢設槽３１５に差し込み、中段から内部で組み、連結枢設環３９の活動端に枢設する。
【００１２】
図６に示すとおり、本考案は固定部品４０をネジ釘４４で壁面に固定した後、掛合台３０の基底部３２を設置し、停止縁３１９を固定部品４０の停止片４３と合わせて嵌合する。基底部３２の環状縁にはネジ４５で圧着片４２を固定し、掛合台３０が壁上に固定される。
【００１３】
図４に示すとおり、本考案の回転ガイドカバー３５１に連続設置した複数の斜面案内槽３５３と、その間の斜面案内槽３５３´底部は各々案内溝３５４に連通するため、常態時に於いて、図７に示すとおり、押圧カバー３５２の各押圧凸塊３５５は回転ガイドカバー３５１の斜面案内槽３５３、３５３´の入口にちょうど位置し、図６に示すとおり、上下両斜面案内槽３５３の槽底が掛合台３０の両案内凸条３１７に掛合されており、回転ガイドカバー３５１を押さえ、且つ内側に向かって押圧桿３４及び弾性部品３６を押し、連結枢設環３９によって可動環体５０を外に反らせ、掛合台３０に対して斜めの状態で定位する（即ちドア体は掛合されていない状態）。
【００１４】
図６に示すとおり、本考案ドアストッパーの可動環体５０は、常態時掛合台３０と傾斜掛合状態である。ドアを開けて止める場合、図９に示すとおり、ドア体の固定鈎１０の掛合鈎１２が連結枢設環３９を押し、押圧カバー３５２の押圧凸塊３５５が斜面案内槽３５３、３５３´に沿って回転ガイドカバー３５１を押して回転移動させる。図８に示すとおり、弾性部品は押圧桿３４が内側に押されて内側に移動することによって、連結枢設環３９が可動環体５０を完全に外向きに反り上げる。そして、図１１及び図１０に示すとおり、弾性部品３６の反発力で押圧桿３４及び回転ガイドカバー３５１を押し戻し、押圧カバー３５２が回転して上下の両斜面案内槽３５３が連通している案内溝３５４及び押圧カバー３５２の案内溝３５４´まで行き、掛合台３０の案内凸条３１７にちょうど対応し、回転ガイドカバー３５１、押圧カバー３５２及び押圧桿３４が完全に復位する。また連結枢設環３９が可動環体５０を水平にしてドア体の固定鈎１０の掛合鈎１２にしっかり定位させる。これによって、ドア体を固定させると、風によって急にドアが閉まり、損傷してしまうことがない。反対に、ドアを閉めたい場合、ドア体を押すだけでよい。固定鈎１０の掛合鈎１２を使用し、掛合台３０の外カバーを内側に押すと、図９及び図８に示すとおり、可動環体５０を完全に外に反らせ、弾性部品３６の反発力で押圧桿３４及び回転ガイドカバー３５１を押し戻し、押圧カバー３５２を回転させて上下両斜面案内槽２５３の槽底で掛合台３０の両案内凸条３１７を押し、回転ガイドカバー３５１を押さえ、可動環体５０を下向きに傾斜させ、掛合台３０と掛合定位させる。図７及び図６に示すとおり、ドア体は自由に移動する。
【図面の簡単な説明】
【００１５】
【図１】公知のドアストッパー構造の立体指示図である
【図２】公知のドアストッパーの固定鈎に固定した平面指示図である。
【図３】本考案の立体分解図である。
【図４】本考案の回転ガイドカバーの平面指示図である。
【図５】本考案の立体組立及び部分反対面組立指示図である。
【図６】本考案の可動環体が常態で傾斜掛合している断面指示図である。
【図７】図６の回転ガイドカバー及び押圧桿の俯瞰拡大指示図である。
【図８】本考案の可動環体が完全に外に反った平面状態図である。
【図９】図８の回転ガイドカバー及び押圧桿の俯瞰拡大指示図である。
【図１０】本考案可動環体がドア体の固定鈎の掛合鈎に掛合された平面指示図である。
【図１１】図１０の回転ガイドカバー及び押圧桿の俯瞰拡大図である。
【符号の説明】
【００１６】
１０    固定鈎
１１    基台
１２    掛合鈎
２０    掛合台
２１    可動環体
２２    結合孔
３０    掛合台
３１    筐体
３１´  筐体
３１１    嵌合柱
３１２    嵌合孔
３１３    結合孔
３１４    欠切口
３１５    枢設槽
３１７    案内凸条
３１８    中孔
３１９    停止縁
３２    基底部
３３    固定片
３４    押圧桿
３５    定位調節部品
３５１    回転ガイドカバー
３５２    押圧カバー
３５３    斜面案内槽
３５３´  斜面案内槽
３５４    案内溝
３５４´  案内溝
３５５    押圧凸塊
３５６    凸縁
３６    弾性部品
３７    定位環
３８    外カバー
３８１    凸柱
３９    連結枢設環
４０    固定部品
４１    結合孔
４２    圧着片
４３    停止片
４４    ネジ釘
４５    ネジ
５０    可動環体
６０    ネジ
【図１】
0003118298.tif 000003
【図２】
0003118298.tif 000004
【図３】
0003118298.tif 000005
【図４】
0003118298.tif 000006
【図５】
0003118298.tif 000007
【図６】
0003118298.tif 000008
【図７】
0003118298.tif 000009
【図８】
0003118298.tif 000010
【図９】
0003118298.tif 000011
【図１０】
0003118298.tif 000012
【図１１】
0003118298.tif 000013